(57)【要約】【課題】袖用アイロン台を胴立に近接させても袖部を袖用アイロン台に通し易いと共に、殆ど袖部側に移動する必要がない。【解決手段】シャツ装着用の胴立１の左右にそれぞれアイロン台板１０及びカフス把持具手段５０を設けたシャツ仕上げ装置の袖用アイロン台機構において、アイロン台板１０を胴立１の側方より該胴立１の前方側にガイドするアイロン台ガイド手段４０と、アイロン台板１０がアイロン台ガイド手段４０に沿って移動させられるようにアイロン台板１０を駆動するアイロン台駆動手段３０とを備えている。【選択図】      図１
2010094191.tif 000002
【特許請求の範囲】
【請求項１】
シャツ装着用の胴立の左右にそれぞれ袖用アイロン台及びカフス把持具を設けたシャツ仕上げ装置の袖用アイロン台機構において、前記袖用アイロン台を前記胴立の側方より該胴立の前方側にガイドするアイロン台ガイド手段と、前記袖用アイロン台が前記アイロン台ガイド手段に沿って移動させられるように前記袖用アイロン台を駆動するアイロン台駆動手段とを備えていることを特徴とするシャツ仕上げ装置の袖用アイロン台機構。
【発明の詳細な説明】
【技術分野】
【０００１】
本発明は、シャツ仕上げ装置の袖用アイロン台機構に関する。
【背景技術】
【０００２】
シャツ仕上げ装置には、前見頃及び後身頃と、両袖部を同時に仕上げるものがある。この種のシャツ仕上げ装置は、シャツを被せる胴立と、この胴立の前後面に圧着する一対の見頃コテ（熱板）と、胴立に着せられたシャツの両袖のカフス部を把持するカフス部把持部と、袖部を通す袖用アイロン台と、袖部のタック部に圧着するタックコテとを備えている。
【０００３】
前記したシャツ仕上げ装置において、胴立及びカフス部把持部、袖用アイロン台を旋回台の両端に設け、この旋回台をシャツのシャツ装着位置とプレス位置との間で半回転の反転を繰り返すようにし、前記プレス位置に前記一対の見頃コテとタックコテを設けたものが知られている。このようなシャツ仕上げ装置においては、シャツ装着位置でシャツを胴立及びカフス部把持部にセットしている間にプレス位置でプレス仕上げされるので、作業効率が良い。この種のシャツ仕上げ装置として、例えば特許文献１が挙げられる。なお、特許文献１には、カフス部把持部、袖用アイロン台、タックコテは設けられていないが、最近のシャツ仕上げ装置には、胴立の両側にカフス部把持部及び袖用アイロン台が設けられ、プレス位置には一対の見頃コテの他にタックコテが設けられ、前身頃及び後身頃と両袖部を同時にプレス仕上げるようになっている。
【０００４】
カフス部把持部、袖用アイロン台及びタックコテを設けたものとして例えば特許文献２が挙げられる。このシャツ仕上げ装置は、胴立と見頃コテとを相対的に横方向に移動させる構成となっている。そこで、見頃コテが左袖のカフス部を把持する左側のカフス部把持部にある状態で、胴立にシャツを被せる。その後、右袖のカフス部を右側のカフス部把持部で固定する。次に胴立を一対の見頃コテ間のプレス位置に移動させる。続いてシャツの左袖のカフス部を左側のカフス部把持部で固定する。
【特許文献１】特開平４−１３８２００号（特許第２７７４６８９号）公報
【特許文献２】実公平２−４６８８０号公報
【０００５】
袖用アイロン台及びカフス把持具は、胴立の両側に位置し、支持腕の上部に設けられ、下方部がピンを回動可能に取付けられ、胴立に接近離反するようになっている。即ち、シャツを胴立及びカフス把持具にセットする時、袖用アイロン台及びカフス把持具を胴立に接近させることにより、胴立と袖用アイロン台との距離が短く、作業者が殆ど移動しないで袖部を袖用アイロン台に通してカフス部をカフス把持具にセットできる。
【発明の開示】
【発明が解決しようとする課題】
【０００６】
特許文献２は袖用アイロン台及びカフス把持具が単に胴立の側方に接近離反する構造であるので、袖用アイロン台と胴立との隙間をある程度保たないと、袖部を袖用アイロン台に通しにくいという問題があった。また袖部側に僅かであるが移動しなと、袖部を袖用アイロン台に通すことができなかった。
【０００７】
本発明の課題は、袖用アイロン台を胴立に近接させても袖部を袖用アイロン台に通し易いと共に、殆ど袖部側に移動する必要のないシャツ仕上げ装置の袖用アイロン台機構を提供することにある。
【課題を解決するための手段】
【０００８】
上記課題を解決するための本発明の請求項１は、シャツ装着用の胴立の左右にそれぞれ袖用アイロン台及びカフス把持具を設けたシャツ仕上げ装置の袖用アイロン台機構において、前記袖用アイロン台を前記胴立の側方より該胴立の前方側にガイドするアイロン台ガイド手段と、前記袖用アイロン台が前記アイロン台ガイド手段に沿って移動させられるように前記袖用アイロン台を駆動するアイロン台駆動手段とを備えていることを特徴とする。
【発明の効果】
【０００９】
袖用アイロン台の先端部は胴立の側方より該胴立の前方側に移動するので、作業者は殆ど移動しなくてシャツの袖部を袖用アイロン台に通すことができる。また袖用アイロン台を胴立に近接させても胴立の前方側に位置するので、シャツの袖部を袖用アイロン台に通すのに支障は生じない。
【発明を実施するための最良の形態】
【００１０】
本発明のシャツ仕上げ装置の袖用アイロン台機構の一実施の形態を図１及び図２により説明する。胴立１の両側方には、アイロン台板１０が配設されている。アイロン台板１０の胴立側端部は、アイロン台板１０が胴立１より離れた場合には胴立１の側方に位置し、胴立１に接近した場合には胴立１の前方側に位置するように、アイロン台板１０は後記するアイロン台駆動手段３０とアイロン台ガイド手段４０とによって作動させられる。アイロン台板１０の下面には、装置の固定部に固定された支持板２０が配設されており、支持板２０は、奥側が駆動手段取付け部２１となっており、手前側がガイド部２２となっている。なお、アイロン台板１０には、布が巻付けられて袖用アイロン台１１を構成している。この布の巻付けは、アイロン台板１０が支持板２０に対して図１（ａ）の状態より図１（ｂ）に示すように移動できるように巻付けられている。また、図１にはシャツの左側の袖部を通す一方のアイロン台板１０のみを図示し、シャツの右側の袖部を通す他方のアイロン台板は図示省略した。
【００１１】
まず、アイロン台駆動手段３０の構成について説明する。支持板２０の駆動手段取付け部２１とアイロン台板１０には、作動レバー３１の両端部がそれぞれ支軸３２、３３を介して回転自在に支承されている。また駆動手段取付け部２１にはエアシリンダ３４が支軸３５を介して回転自在に支承されており、エアシリンダ３４の作動ロッドは支軸３６を介して作動レバー３１に回転自在に支承されている。
【００１２】
次にアイロン台ガイド手段４０の構成について説明する。支持板２０のガイド部２２には、円弧状のガイド溝２３が形成されている。ガイド溝２３は、胴立１より離れた一端２４は奥側に形成され、胴立１側の一端２５は手前側に形成されている。ガイド溝２３にはローラ４１が回転自在に遊嵌されており、ローラ４１はアイロン台板１０に固定された支軸４２に回転自在に支承されている。
【００１３】
最後にカフス把持具手段５０の構成について説明する。アイロン台板１０の胴立１より離れた側の上下には、シャツのカフス部を上下より把持する一対の上把持具５１と下把持具５２とが配設されている。支持板２０には下方に伸びた支持部２０ａが形成されており、支持部２０ａには支軸５３が固定されている。上把持具５１の上面には上把持具支持板５４に固定されており、上把持具支持板５４は下方に伸びた垂直部５４ａの中間部が支軸５３に回転自在に支承されている。下把持具５２の下面には下把持具支持板５５が固定されており、下把持具支持板５５は支軸５３に回転自在に支承されている。垂直部５４ａの下端には電磁マグネット５６が支軸５７を介して回転自在に支承されている。電磁マグネット５６はほぼ水平に配設され、該電磁マグネット５６の作動ロッドは支軸５８を介して下把持具支持板５５に固定されている。
【００１４】
次に作用について説明する。胴立１にシャツを被せる時は、図１（ａ）の状態より、エアシリンダ３４を作動させて作動ロッドを突出させる。これにより、図１（ｂ）に示すように、作動レバー３１は支軸３２を中心として回動し、ローラ４１はガイド溝２３にガイドされて一端２４より一端２５に移動する。そして、袖用アイロン台１１（アイロン台板１０）の先端部は胴立１の前方側に位置する。このように、袖用アイロン台１１の先端部は胴立１の前方側に移動するので、作業者は殆ど移動しなくてシャツの袖部を袖用アイロン台１１に通すことができる。また袖用アイロン台１１を胴立１に近接させても胴立１の前方側に位置するので、シャツの袖部を袖用アイロン台１１に通すのに支障は生じない。
【００１５】
袖用アイロン台１１に袖部を通した後は、カフス把持手段５０の電磁マグネット５６が作動して該電磁マグネット５６の作動ロッドが突出する。これにより、図２において、上把持具支持板５４は支軸５３を中心として左方向に、下把持具支持板５５は支軸５３を中心として右方向にそれぞれ回転し、上把持具５１と下把持具５２によってカフス部を把持する。
【００１６】
その後、エアシリンダ３４を前記と逆に作動させて作動ロッドを引っ込ませる。これにより、作動レバー３１は支軸３２を中心として図１（ａ）の状態より図１（ｂ）に示すように回動し、またローラ４１はガイド溝２３に沿って一端２５より一端２４に移動し、袖用アイロン台１１（アイロン台板１０）は胴立１より離れて該胴立１の側方に移動する。その後は従来と同様に、図示しない袖用コテが作動して袖部をプレス仕上げする。
【図面の簡単な説明】
【００１７】
【図１】本発明のシャツ仕上げ装置の袖用アイロン台機構の一実施の形態を示し、（ａ）袖用アイロン台が胴立より離れた状態の平面図、（ｂ）は袖用アイロン台が胴立に接近した状態の平面図である。
【図２】主としてカフス把持具手段の構造を示す図１の側面図である。
【符号の説明】
【００１８】
１    胴立
１０    アイロン台板
１１    袖用アイロン台
２０    支持板
２１    駆動手段取付け部
２２    ガイド部
２３    ガイド溝
３０    アイロン台駆動手段
３１    作動レバー
３４    エアシリンダ
４０    アイロン台ガイド手段
４１    ローラ
５０    カフス把持具手段
５１    上把持具
５２    下把持具
【図１】
2010094191.tif 000003
【図２】
2010094191.tif 000004